(57)【要約】【課題】自分の死後を葬儀時に使われる各種の体験道具が準備された空間中で恐怖心と共に臨終体験が可能な臨終体験室を提供する。【解決手段】照明器具とそのコントロールボックスを備えた体験空間部１００と、体験教育生に関係する葬儀備品２００、体験教育生が横たわる棺と、棺フタ、ゴムづち、木釘、体験教育生本人の遺影写真、及びシャベルよりなる入棺部材３００、及び寿衣を着せて、紐で縛る過程を行うための斂作業台よりなる斂作業部４００を含む臨終体験室。これを用いて予め準備教育を行い、本人の遺言状を持って死の使者の装いの案内者が体験教育生らを体験空間部に案内して自分の遺影写真と遺言状の前に立つ段階と、自分の遺言状を朗読させる段階と、体験教育生を棺に入って行かせた後約１０分経過して棺から出て来るようにする段階、及び体験教育生各自の感じを発表させる段階とを含む臨終体験方法を含む。【選択図】図１
2006171743.tif 000002
【特許請求の範囲】
【請求項１】
臨終体験室において、
扉１０２を設けた所定の空間１０３をなす体験空間部１００と、
前記体験空間部１００内に設けられる弔花２０３、ろうそく２０４、香炉２０５、遺骨箱２０６の色々の葬儀に必要な葬儀備品２００と、
前記体験空間部１００内に設けられる入棺部材３００と、
を含む臨終体験室。
【請求項２】
体験教育生を横たえる作業台４０３を設け、体験教育生の体を拭き取り、寿衣４０１を着せて、紐４０２で縛る過程を見せてやるための斂作業部４００をさらに含む請求項１に記載の臨終体験室。
【請求項３】
前記体験空間部内に体験効果を増大するための音響装置をさらに含む請求項１または２に記載の臨終体験室。
【請求項４】
前記体験空間部１００内には、照明器具１０１と、消灯した後所定色相の光だけ残るように制御するコントロールボックス１０４をさらに備えることを特徴とする請求項３に記載の臨終体験室。
【請求項５】
前記葬儀備品２００は、体験教育生本人の遺影写真２０１と故人であることを知らせるプラカード２０２をさらに備えることを特徴とする請求項１に記載の臨終体験室。
【請求項６】
入棺部材３００は、体験教育生入棺用棺３０１と、棺フタ３０２、ゴムづち３０３、木釘３０４、遺影写真３０５、シャベル３０６とからなることを特徴とする請求項１に記載の臨終体験室。
【請求項７】
臨終体験方法において、
別に独立した教育施設で動映像を見ながら遺言状作成、寿衣を着て紐で縛り、斂を行う様子及び入棺するなどの手続に対する準備教育段階と、
準備教育を受けてから死の使者の装いの案内者が体験空間部に案内する段階と、
遺言状を作成する段階と、
前記準備教育が終了した後遺言状を持って案内者の案内によって所定の照明中に弔花、ろうそく、お香、本人の遺影写真、棺、遺骨箱及び寿衣が揃えられた請求項１に記載の体験空間部に案内されて本人の遺影写真と遺言状のある棺のそばに立つ段階と、
体験者あるいは体験者代表のうち一人が自分の遺言状を朗読する段階と、
寿衣を着て棺に入る段階と、
案内者はゴムづちを用いて槌打ちして棺フタを被せる段階と、
所定時間経過した後案内者が棺フタを開けてあげることによって体験教育生が出てくる段階と、を含む臨終体験方法。
【請求項８】
体験教育生各自の感じを発表する段階をさらに含む請求項７に記載の臨終体験方法。
【請求項９】
前記案内者は天使の装いをすることを特徴とする請求項７に記載の臨終体験方法。
【請求項１０】
前記寿衣を着て紐で縛る段階は、
斂体験教育生を斂作業台に横たえて体験教育生に直接に斂を行い、寿衣を着せて顔だけを表して紐で縛る段階をさらに含む請求項７に記載の臨終体験方法。
【発明の詳細な説明】
【技術分野】
【０００１】
本発明は臨終体験室、及びこれを用いた臨終体験方法に係り、さらに詳しくは所定の葬儀式場のように実習教育場を作って実習施設を通じて自分があたかも死んだように葬儀手続に適用させて案内者の案内によって所定の施設と方法を通じて死を感じさせるための臨終体験室及びこれを用いた臨終体験方法に関する。
【背景技術】
【０００２】
突然の自分の死を準備するために予め遺言を残したり心を整える場合がある。
【０００３】
また、人々は自分の健康な臓器を死の直後他の重症患者に寄贈することによって臓器の故障によって苦しんでいる多くの不幸な人々に自分の臓器を寄贈して生命を求める人々もいる。
【０００４】
時には特別な保険商品を通じて自分の死後残された家族の生活に物質的な豊かさをもたらすようにすることもある。
【０００５】
しかし、この全てのものは、結局分からない死後の家族や患者に対する配慮次元なので、過去った日々や生きて行く生に対する準備をすることができなかった。
【０００６】
特に、若いときに瞬間の過ちを犯した場合、これを矯導するシステムの不在によってさらに大きな罪を犯す場合も多い。
【０００７】
我々は他人の死の前で粛然とする時が多いが、実際にその現実を外れると再び忘れてしまって元々の様子のまま生きていく自分を見つける。
【０００８】
忘却の生き物である人間にとって自分の死を予定する遺影（影幀）写真などの臨終後の仮想現実を通じて自分の過去と現在を顧見ることによってさらに正しい生に対する覚醒を追求し、所定の矯導施設などの犯罪人には反省する機会を与えて、さらに重大な犯罪の発生を防止できるようにする必要がある。
【０００９】
自分の死を仮定した遺影写真あるいは棺の中に寝かした自分を顧見ながら死を受け入れられるシステムは色々の面から必要である。
【発明の開示】
【発明が解決しようとする課題】
【００１０】
本発明の目的は、自分の死後を葬儀時に使われる各種の体験道具、例えば遺影写真、弔花、お香、ろうそく、遺骨箱、斂作業台、棺、独特な照明施設、音響装置などの道具が準備された空間中で恐怖心と共に臨終体験が可能な臨終体験室を提供するところにある。
【００１１】
本発明において、「斂」は、「レン、死者のなきがらをおさめる礼式、「新漢和辞典」大修館書店発行、昭和５５年４月１日発行」の意である。
【００１２】
本発明の他の目的は、前述したような臨終体験室を通じて所定の事前教育過程と死の使者、天使のような案内者を通じて臨終体験を経験させる臨終体験方法を提供するところにその目的がある。
【００１３】
本発明のさらに他の目的は、遺言状を作成し、臨終体験に対する教育を受け、暗い臨終体験室に案内されて自分の遺影写真が掛った姿を見て、自分が斂を受けてみたり、斂する様子を見ながら、自分が直接に棺の中に入って行く過程を提供することによって、自分の死に対して一層しみじみ考えるようにして過去った日々の間やりたかったことや人に嫌がらせしたことを反省し、以後残されている日々の間このような過ったことを反省し、死に対する恐怖心を持たないようにするための臨終体験方法を提供するところにその目的がある。
【００１４】
本発明のさらに他の目的は、このような臨終体験方法が刑務所収監者あるいは中高大学生や大人を対象にして所定の臨終体験教育と訓練を通じて、拗けたり乱暴な心を和らげて社会生活に適応させることによって、今までの自分の過った生活を繰り返さないようにする臨終体験方法を提供するところにある。
【課題を解決するための手段】
【００１５】
前述した目的を達成するための本発明に係る臨終体験室は、明るい照明と、これを消灯した後暗い状態で一頻り光だけ残るように所定の照明制御が可能であり、扉のある空間よりなる体験空間部と、該体験空間部内に設けられる体験教育生本人の遺影写真、体験教育生が故人であることを知らせるプラカード、弔花、ろうそく、香炉、遺骨箱などの色々の葬儀式と火葬場に設備される装飾物と、前記体験空間部内に少くとも一つ以上位置し、体験教育生が横たわる棺フタ、ゴムづち、木釘及び棺よりなる入棺部材、及び体験教育生あるいは準備された人を対象にして身体を拭き取り、寿衣（死に装束）を着せて紐で縛る過程を見せるための斂作業台を含む臨終体験室によって達成される。
【００１６】
前述した目的を達成するための本発明に係る臨終体験室の体験過程は、別の独立した教育施設で動映像を見ながら遺言状の作成、斂する様子及び入棺するなどの手続に対する準備教育を受ける段階と、準備教育を受けた後死の使者装いの案内者が体験空間部に案内する段階と、遺言状を作成する段階と、前記準備教育が終了してから遺言状を持って案内者の案内によって暗い照明の中に弔花、ろうそく、お香、本人の遺影写真、棺、遺骨箱及び寿衣などが設備された請求項１に記載の体験空間部に案内されて本人の遺影写真と遺言状のある棺のそばに立つ段階と、寿衣を着て紐で縛る過程を参考に見せてくれる斂する段階と、体験者あるいは体験者の代表の中から一人が自分の遺言状を朗読する段階と、寿衣を着て棺に入って行く段階と、案内者がゴムづちを用いて木釘打ちして棺フタを被せる段階と、約１０分後案内者が棺フタを開けてあげることによって体験教育生が出てきて、その後体験教育生各自の感じを発表する段階と、体験空間部から出てきて休息後食事したり解散する段階とを含む臨終体験方法によって達成される。
【００１７】
前述した本発明の臨終体験方法の前記案内者はキリスト教(カトリック教含み)の天使の扮装をすることができる。
【００１８】
前述した本発明の臨終体験方法において前記寿衣を着て紐で縛る段階において、体験教育生に直接に斂を行い、寿衣を着せて、顔だけ表しておき紐で縛る段階をさらに含むのが望ましい。
【発明の効果】
【００１９】
以上述べたように、本発明は自分の死後を葬儀時に用いられる各種の体験道具、例えば遺影写真、弔花、ろうそく、遺骨箱、斂作業台、棺、特有の照明施設、音響装置などの道具が準備された空間中で恐怖心と共に臨終体験を行える効果を提供する。
【００２０】
また、本発明は前述したような臨終体験室を通じて所定の事前教育過程と死の使者、天使のような案内者を通じて臨終体験を経験させることによって、臨終を通じて過去及び現在の生活をさらに直せる効果もある。
【００２１】
具体的に遺言状を作成し、臨終体験に対する教育を受け、暗い臨終体験室に案内され自分の遺影写真が掛っている様子を見て、自分が斂を受けたり、斂する様子を見ながら、自分が直接に棺の中に入って行く過程を提供することによって、未来に自分に迫ってくる死について準備すると同時に、過去った日々の過ちについて反省するようにし、いつか迫ってくる自分の死を準備し、これからの肯定的な生き方について教育する効果を得る。
【００２２】
また、本発明はこのような臨終体験方法を刑務所収監者あるいは中、高、大学生を対象にして教育することによって、拗けたり乱暴な心を和らげて社会生活に適応させることによって犯罪予防の効果を奏でる。
【発明を実施するための最良の形態】
【００２３】
以下、添付した図面に基づき本発明の望ましい実施例を具体的に説明する。
【００２４】
添付した図面のうち、図１は本発明の臨終体験室の概略図であり、図２は本発明に係る臨終体験室で見せてあげる斂する様子を示す概略図である。
【００２５】
同図によれば、本発明の臨終体験室は、実験空間部１００と、葬儀備品２００と、入棺部材３００と、斂作業部４００とからなる。
【００２６】
体験空間部１００は明るい照明と、これを消灯した後暗い状態で赤い一頻り光だけ残るように照明制御の可能な照明器具１０１とコントロールボックス１０４が設備され、扉１０２を備えた空間１０３よりなる。
【００２７】
勿論、必要に応じて音響装置を設けて体験教育生が感じる厳粛さを加重させ、体験学習をさらに強化させる効果が得られるが、本実施例では省略した。のみならず気流循環設備及び温度調節設備などをさらに設けて、季節によって適切な冷房及び空調を可能にすることができ、本実施例ではこれを省略した。
【００２８】
前記葬儀備品２００は前記体験空間部１００内に本臨終体験室の運営者も遺影写真になれることを示す遺影写真２０１、体験教育生らが故人になる場合を示す例示的なプラカード２０２、弔花２０３、ろうそく２０４、香炉２０５、遺骨箱２０６などの色々の葬儀に必要な設備を取付けたり掛けることができる。その他表示したり説明できなかった装飾物の追加も可能であり、本実施例では前記例示された装飾物を中心に説明する。
【００２９】
前記入棺部材３００は前記体験空間部１００内に少くとも一つ以上位置し、体験教育生が横たわる棺３０１と、棺フタ３０２、ゴムづち３０３、木釘３０４が具備され、体験教育性自分の遺影写真３０５及び棺上に準備された土を振り撒くためのシャベル３０６などよりなる。
【００３０】
前記斂作業部４００は体験教育生が直接あるいは身代わりあるいは人間の形をした合成樹脂モデルなどで準備され、概略的に体を拭いて、寿衣４０１を着せた後紐４０２で縛る過程を見せて体験させ、斂作業台４０３上で行われる。
【００３１】
以下、このようになされた本発明の臨終体験室を通じた臨終体験方法についてさらに具体的に説明する。
【００３２】
臨終体験室は前述した体験空間部１００と、葬儀備品２００と、入棺部材３００と、斂作業部４００よりなる。
<第１段階>
まず、適宜な広告を通じて募集された体験教育生らを所定の独立した教育施設で動映像を見せてあげながら、なぜこのようなことを行い、これを通じて何が得られるのかを十分に事前教育させ、教育が終わると体験教育生本人の遺言状を作成させ、体験空間部１００内で行われる斂する様子及び入棺などの手続きについて予め準備教育を受けるようにする。
<第２段階>
前記準備教育が終わった後本人の遺言状を持って案内者の案内によって暗い照明よりなる体験空間部１００の扉１０２を開けて入って行く。
【００３３】
この際、死の使者装いの案内者が体験教育生を体験空間部に案内し、時には体験教育生別にキリスト教の天使の扮装をすることも望ましい。
【００３４】
この体験空間部１００内には事前準備された体験教育生本人の遺影写真２０１、体験教育生が故人であることを知らせるプラカード２０２、弔花２０３、ろうそく２０４、香炉２０５、遺骨箱２０６、少くとも一つ以上の棺３０１と、棺フタ３０２、ゴムづち３０３、木釘３０４、遺影写真３０５及びシャベル３０６よりなる入棺部材２００と、斂作業台４０３、寿衣４０１と、紐４０２で縛る過程を見せてやって体験させる斂作業部４００を備えている。
【００３５】
このような葬儀備品で飾られた体験空間部１００の内部に案内された体験教育生らは案内者の案内によって本人の遺影写真と遺言状の前に立つ。
<第３段階>
体験教育生らに別に準備された斂作業部４００を通じて死体を洗った後寿衣４０１を着せて、紐４０２で縛る過程を参考に見せてやる。
【００３６】
このような斂作業部４００における過程のうち特に体験教育生のうちある一人を決めて直接斂作業に参加させることができる。
【００３７】
すなわち、体験教育生を指定して衣服の殆んどを脱がせて直接に皮膚洗浄を通じて斂を行い、寿衣を着せて、顔だけを表した状態で紐で縛っておき、以後の入棺手続をそのまま行うようにすることができ、あるいは体験教育生の一人か二人が体を拭き取って寿衣を着せて、紐で縛る作業に参加させることもできる。
【００３８】
その後、体験教育生あるいは体験教育生のうちある一人を指定して自分の遺言状を朗読させたり、体験教育生全員に順番に遺言状を朗読させる。
<第４段階>
遺言状の朗読が終わると各体験教育生を相手に寿衣４０１を着せて、紐４０２０で概略縛った後棺３０１の中に入って行かせる。
【００３９】
案内者がゴムづち３０３を用いて棺３０１上に棺フタ３０２を覆い被せて、木釘３０４で棺フタ３０２を結合する。この際木釘３０４による棺フタ３０３の結合状態は入棺された体験教育生が体や手で押し出してもよいほどにして置く。その後、準備された土をシャベル３０６で掬って棺フタ３０２に被せられた棺３０１の上に土を覆ったり音響装置を通じてシャベル３０６で土を覆う音を聞かせてあげることによって棺中の体験教育生をして墓の中に置かれた棺３０１に土が覆われることを感じさせる。
【００４０】
その後、約１０分経過して棺案内者が棺フタ３０３を開けてあげることによって体験教育生が出て来るようにする。
<第５段階>
このような全過程が完了すれば体験空間部１００を出てきて独立した教育施設に再び移動する。その後体験教育生各自の感じを発表させる。
【００４１】
以上の全過程のうちある一つの過程を省略したり新たな過程を追加することができ、体験教育生によって多様化することができる。
【図面の簡単な説明】
【００４２】
【図１】本発明に係る臨終体験室の概略図である。
【図２】本発明に係る臨終体験室の斂作業台の概略図である。
【符号の説明】
【００４３】
１００:体験空間部
１０１:照明器具
１０２: 扉
１０３:空間
１０４:コントロールボックス
２００:葬儀備品
２０１:遺影写真
２０２: プラカード
２０３: 弔花
２０４:ろうそく
２０５: 香炉
２０６:遺骨箱
３００:入棺部材
３０１:棺
３０２:棺フタ
３０３:ゴムづち
３０４:木釘
３０５:体験教育生の遺影写真
３０６:シャベル
４００: 斂作業部
４０１:寿衣
４０２: 紐
４０３: 斂作業台
【図１】
2006171743.tif 000003
【図２】
2006171743.tif 000004